(57)【要約】【課題】  大気中の重力と、液体中に於ける浮力を利用して、動力を発生させる。【解決手段】  角度が付いて、浮き（５）が同時に液体（７）に進入しない作動棒（１）と、浮力のかからない状態になった作動棒（１）を動かす為の弾み棒（２）を一ヶ所の固定軸（３）に重ね組み合わせて天秤状態にする。  次に、作動棒（１）に連結している浮き（５）の浮力にて水平ラインより少し上に持ち上がり、傾く事により弾み棒（２）に内臓された転がり球（９）が反対側に転がり移動する事により、転がり棒（８）も同方向に転がり、荷重移動が一気に行なわれ、それにより本発明装置全体が天秤運動、又は、シーソー運動を繰り返す事となり、これにより動力を発生する事となる。【選択図】  図１
2006233949.tif 000002
【特許請求の範囲】
【請求項１】
作動棒（１）に、角度を付ける。
【請求項２】
弾み棒（２）に転がり球（９）を内臓する。
【請求項３】
作動棒（１）と、弾み棒（２）とを固定軸（３）１ヶ所にて組み合わせて天秤状態にし、連動作用するように転がり棒（８）と作動棒受け（１０）を設ける。
【請求項４】
作動棒（１）の両端に設けた浮き（５）は、作動棒（１）に角度が付いている為、片方ずつしか液体中に没しないがその浮力が最大限に押し上げられた状態、当然、作動棒（１）、弾み棒（２）、転がり棒（８）、転がり球（９）、重り（１１）、連結棒（４）、及び、その他すべての荷重が浮き（５）に荷重された状態にてである。
その状態にて、浮き（５）の浮力が最大限に押し上げられた時、弾み棒（２）が水平レベルより少し角度が上に上がり、内臓された転がり球（９）が反対側へと転がり始めるように、浮き（５）の形状、及び容量、重り（１１）の重量、連結棒（４）の長さ、そして、液体（７）の量、及び液体上端ライン（１２）の高さを調整し、設定設置する。
【請求項５】
上記、請求項１〜４の内容を組み合わせて作動する動力発生装置。
【発明の詳細な説明】
【技術分野】
【０００１】  本発明は、化石燃料を必要とせず、天秤運動と液体浮力よる動力発生装置に関するものである。
【背景技術】
【０００２】  従来の動力装置は、石炭、石油、ガス、原子力ウラン等と常に化石燃料が必要な内燃機関であり、大気汚染や地球温暖化、又、近年例をみない大量消費による化石燃料資源の枯渇も問題視されている。【０００３】  それゆえ、最近ではエコエネルギーと称して風力発電や太陽熱発電等の開発に余念が無いが、残念な事に天候気象に左右され、安定した動力が期待できない状態にある。
【発明の開示】
【発明が解決しようとする課題】
【０００４】  化石燃料を使用せず、天候気象にも左右されない、安全且つ安定したエネルギー供給が成されていない点にある。
【問題を解決しようとする課題】
【０００５】  本発明は、安全、且つ安定したエネルギーを供給する為に、大気中に存する重力を利用した天秤運動、別名、シーソー運動と水中、及び液体中に存する浮力を組み合わせ、最大限に利用する事を最も主要な特徴とする。
【発明の効果】
【０００６】  本発明の動力装置は、水、及び液体と大気中の重力さえあれば、所、場所を選ばず、水槽が無くても水溜りのある池や沼でも活用でき、海中でも設置できる。
当然、メンテナンスさえしっかりすれば各家庭にも戸別に設置でき、送電線、電柱等も不要となる。
【発明を実施する為の最良の形態】
【０００７】  化石燃料を使用せず、又、天候気象にも左右されずに安全安定供給できる動力エネルギーを発生させる目的を、自然停止する天秤運動、別名、シーソー運動を停止させないように、自然界に存在する水中、及び液体中に於ける浮力を供給し続ける事によって、天秤運動、又はシーソー運動を連続させる事で実現した。
【実施例１】
【０００８】  図１は、本発明装置、天秤運動の左側の浮き（５）が液体（７）の浮力により、最大限に浮き上がってきた状態の実施例断面図である。【０００９】  図２、図３は弾み棒（２）の詳細断面図である。
弾み棒（２）はいわゆる天秤棒であり、ある程度の重量のある転がり球（９）を内臓する事によって、僅かな傾きによって転がり球（９）は傾き方向へと転がって行き、弾み棒（２）は、あっという間にその方向へと傾いてしまう。【００１０】  図４、図５は作動棒（１）の詳細断面図である。
作動棒（１）も又、いわゆる天秤棒であり、連結棒（４）を通じて浮き（５）を左右それぞれ吊り下げる事となるが、左右の浮き（５）が液体（７）に同時に没しないように、作動棒（１）本体は図４のように適度に角度を付ける事とする。
これにより、液体（７）の浮力は左右の浮き（５）に対して片方ずつ。交互にしか働かなくなる。【００１１】  次に、浮き（５）が、片側半分の総荷重を負いながらも、最大限に浮上した時、図１のように弾み棒（２）の片側が水平ラインよりも少し角度が付いて上向くようにするには、浮き（５）の形状、容量、重り（１１）の重量、連結棒（４）の長さ、液体（７）の液面高さである液体上端ライン（１２）を調整する事で可能となる。
これは、空き瓶に重りのかわりに水をいれ、多少の空気層を残して蓋栓を閉め、それを川や海等の水中に投げ入れると、大気中水面に届くまでの落下荷重によりいったん水中へ深く沈み込むが、すぐに浮かび上がってきて波動が無い限りは浮かんだまま静止してしまう、あの自然現象を利用したものである。【００１２】    又、魚釣りの浮きも同じ現象がみられる。釣り糸についた浮きの下方には鉛の重り付いており、水中、又は海中へ投げ入れた時、浮きはいったん沈んで見えなくなるが、すぐに浮かんできて浮きの役目を果たしてくれる。
又、鉛の重りは浮きの下方に設ける事で浮きを垂直に立たせ、浮きを水面上に出す高さ調整の役目も負っている
本発明装置の重り（１１）も同じ意味合いも持って設置している。【００１３】  次に、図６〜図９は本発明装置の作動状況を図示しているので順を追って説明する事とする。
まず、図６は図１と同じで図１よりも簡素化されているだけである。この作動状況は、左側の浮き（５）が目一杯浮き上がった状況である。この時、浮き（５）と連結連動しているのは作動棒（１）であるが、転がり棒（８）が作動棒（１）と弾み棒（２）をカンヌキみたいに貫いて連動する仕組みになっており、浮き（５）が目一杯浮き上がった時に、弾み棒（２）が水平ラインより少し角度が付いて持ち上がるように設定されているので、当然、転がり球（９）は低いほうの右側へと転がり始め、弾み棒（２）全体の荷重は右側へと移行していく。【００１４】  その時、右側に荷重移動した弾み棒（２）は右側が下がり、左側が持ち上がる事となり、弾み棒（２）に設けてある作動棒受け（１０）にて作動棒（１）を持ち上げていく事となる。すると、それまで浮力で持ち上げられてきた作動棒（１）と、転がり棒（８）を通じて持ち上がった弾み棒（２）とに挟まれて、転がり棒（８）は首を挟まれた状態にあり、固定された状況にあった。それが今度は逆に作動棒（１）が持ち上げられ、転がり棒（８）の首を絞めていたタガが緩む事となり転がり棒（８）もようやく右側へと転がり始める事となる。【００１５】  適度な重量のある転がり球（９）が右側へ転がり出すと、これ、又適度な重量のある転がり棒（８）もすぐに追随して転がり始め、荷重が一気に右側に集中して図７のように一気に傾いてしまう。【００１６】  上記の空き瓶や魚釣りの浮きにて説明したように、一瞬の荷重により沈んでも浮き（５）の浮力にて図８のように右側は水平ラインより少し持ち上がってくる。そして、又、図６と同じ状況で、転がり球（９）と転がり棒（８）が今度は左側へと転がり落ちて来て図９のように大きく傾く事となる。【００１７】  以上のように、図６〜図９までの工程を繰り返す事となり、本発明装置は化石燃料を必要とせず、天候気象にも左右されず、大気中の重力と液体中の浮力のみを必要とする動力発生装置である。
【実施例２】
【００１８】  図示していないが、本発明装置の規模によっては、重り（１１）だけでは浮き（５）が液体（７）中にて横振れする事がある。その時は、水槽の形を変えて、浮き（５）の上下する範囲だけを壁面にて囲ってやれば良い。つまり、そこだけを浮き（５）の形状に合わせて円筒、又は、角筒形にし、水槽全体の形を凹の形にすれば良く、これにより液体量を大幅削減できるし、本発明装置全体の重量も削減できる。
【産業上の利用可能性】
【００１９】  動く様子に飽きが来ず、部品に彩色を施す事での観賞用パーツとしても使えるし、子供向けの玩具としても利用できる。
【図面の簡単な説明】
【００２０】
【図１】  本発明装置の実施方法を示した断面図である。
【図２】  本発明装置、弾み棒（２）の正面断面図である。
【図３】  本発明装置、弾み棒（２）のＡ〜Ａ’断面図である。
【図４】  本発明装置、作動棒（１）の正面断面図である。
【図５】  本発明装置、作動棒（１）のＢ〜Ｂ’断面図である。
【図６】  本発明装置、作動状況断面図である。
【図７】  本発明装置、作動状況断面図である。
【図８】  本発明装置、作動状況断面図である。
【図９】  本発明装置、作動状況断面図である。
【符号の説明】
【００２１】      （１）    作動棒
（２）    弾み棒
（３）    固定軸
（４）    連結棒
（５）    浮き
（６）    水槽
（７）    液体
（８）    転がり棒
（９）    転がり球
（１０）  作動棒受け
（１１）  重り
（１２）  液体上端ライン
【図１】
2006233949.tif 000003
【図２】
2006233949.tif 000004
【図３】
2006233949.tif 000005
【図４】
2006233949.tif 000006
【図５】
2006233949.tif 000007
【図６】
2006233949.tif 000008
【図７】
2006233949.tif 000009
【図８】
2006233949.tif 000010
【図９】
2006233949.tif 000011